(57)【要約】【課題】通信可能な携帯端末において、アンテナ部を狭いスペースに容易に配置することができるようにする。【解決手段】第２の筐体５に給電接点を有する基板を設け、第２の筐体５の一部を構成する裏側キャビネット９の周縁に溝部を設ける。弾性部材よりなるベース部２１に立体形状の樹脂部材２２を一体に連続させ、この樹脂部材２２の表面にアンテナ部２５を設ける。溝部にベース部２１を嵌め込み、給電接点によってアンテナ部２５に給電されるようにする。【選択図】図１
2013123195.tif 000002
【特許請求の範囲】
【請求項１】
携帯端末本体の一部を構成するキャビネットと、
上記携帯端末本体に設けられ、給電接点を有する基板と、
上記キャビネットの周縁に設けられた溝部と、
上記溝部に嵌め込まれる弾性部材よりなるベース部と、
上記ベース部に一体に連続する立体形状の樹脂部材と、
上記樹脂部材の表面に設けられ、上記給電接点によって給電されるアンテナ部とを備えている
ことを特徴とする携帯端末。
【請求項２】
請求項１に記載の携帯端末において、
上記ベース部は、防水パッキンであり、
上記樹脂部材は、上記防水パッキンよりも剛性が高く、該防水パッキンの少なくとも一部に沿って一体に設けられ、該防水パッキンの形状を保つと共に、上記溝部に嵌め込まれ、
上記樹脂部材の一部が膨出した立体形状の膨出部を形成し、該膨出部の表面に上記アンテナ部が設けられている
ことを特徴とする携帯端末。
【請求項３】
請求項２に記載の携帯端末において、
上記給電接点は、複数設けられ、
上記膨出部は、上記複数の給電接点に対応してそれぞれ設けられ、各膨出部の表面に上記アンテナ部が設けられている
ことを特徴とする携帯端末。
【請求項４】
請求項２又は３に記載の携帯端末において、
上記樹脂部材は、ポリカーボネイトであり、
上記膨出部における上記アンテナ部を設ける部分は、ＡＢＳ樹脂が二色成形され、
上記ＡＢＳ樹脂の表面に導電性金属がメッキされている
ことを特徴とする携帯端末。
【請求項５】
請求項２又は３に記載の携帯端末において、
上記樹脂部材は、ポリカーボネイトであり、
上記膨出部の表面の一部が導電性樹脂で構成され、該導電性樹脂部分が上記アンテナ部を構成している
ことを特徴とする携帯端末。
【請求項６】
請求項２又は３に記載の携帯端末において、
上記樹脂部材は、ポリカーボネイトであり、
上記膨出部には、板金よりなる上記アンテナ部の一部が埋め込まれている
ことを特徴とする携帯端末。
【請求項７】
請求項２又は３に記載の携帯端末において、
上記膨出部の上記ベース部と反対側の表面に上記アンテナ部が設けられている
ことを特徴とする携帯端末。
【請求項８】
請求項２又は３に記載の携帯端末において、
上記膨出部には、上記基板を挟み込む凹部が形成され、
上記凹部の対向する表面に上記アンテナ部がそれぞれ設けられている
ことを特徴とする携帯端末。
【請求項９】
請求項２乃至８のいずれか１つに記載の携帯端末において、
上記給電接点は、弾性を有し、上記アンテナ部は、該給電接点が押しつけられて給電されるように構成されている
ことを特徴とする携帯端末。
【請求項１０】
携帯端末のキャビネットの周縁に設けた溝部に嵌め込まれる弾性部材よりなる防水パッキンと、
上記防水パッキンよりも剛性が高く、該防水パッキンの少なくとも一部に沿って一体に設けられ、該防水パッキンの形状を保つと共に、上記溝部に嵌め込まれる樹脂部材と、
上記樹脂部材の一部が膨出して形成された立体形状の膨出部と、
上記膨出部の表面に設けられ、上記給電接点によって給電されるアンテナ部とを備えている
ことを特徴とする携帯端末用アンテナ。
【発明の詳細な説明】
【技術分野】
【０００１】
本発明は、アンテナ部を有する通信可能な携帯端末及び携帯端末用アンテナに関し、特にそのアンテナ部の配置構造の改善に関するものである。
【背景技術】
【０００２】
従来より、アンテナ部を有する通信可能な携帯端末では、アンテナ部を金属部品から離すために、キャビネットの周縁にアンテナ部を設けるようにしている。
【０００３】
例えば、特許文献１の携帯端末では、パッキンの内部にアンテナ導体を内蔵し、そのアンテナ導体の端部に２個の端子を設けて基板の接点に接続して給電するようにしている。
【０００４】
また、特許文献２の携帯無線機では、第１ケースと第２ケースとで狭持される環状弾性部材と一体にフレキシブルプリント基板を設け、このフレキシブルプリント基板を回路基板に接続するようにしている。
【先行技術文献】
【特許文献】
【０００５】
【特許文献１】特開２０１１−１４６９５５号公報
【特許文献２】特開２０１１−３５８２３号公報
【発明の概要】
【発明が解決しようとする課題】
【０００６】
近年、携帯端末の機能は多様化し、１つの携帯端末に複数のアンテナが設けられるようになっている。このため、特許文献１のような携帯端末では、パッキン内部に１つのアンテナを設けることができるものの、他のアンテナはパッキンよりも内側でかつ他の金属部品と離れた場所に設けなければならない。このため、他のアンテナの設置が困難になる。
【０００７】
また、特許文献２の携帯無線機においても１つのフレキシブルプリント基板しか設けられておらず、他のアンテナは、防水パッキンの内側の別の場所に設けなければならない。しかも、フレキシブルプリント基板であるため、撓みやすく、防水パッキンの取付の際にフレキシブルプリント基板の取り回しが困難であるという問題があった。
【０００８】
本発明は、かかる点に鑑みてなされたものであり、その目的とするところは、アンテナを狭いスペースに容易に配置することにある。
【課題を解決するための手段】
【０００９】
上記の目的を達成するために、この発明では、キャビネットの溝部に嵌め込まれるベース部に一体に設けた立体的な樹脂部材にアンテナ部を設けた。
【００１０】
具体的には、第１の発明では、携帯端末本体の一部を構成するキャビネットと、
上記携帯端末本体に設けられ、給電接点を有する基板と、
上記キャビネットの周縁に設けられた溝部と、
上記溝部に嵌め込まれる弾性部材よりなるベース部と、
上記ベース部に一体に連続する立体形状の樹脂部材と、
上記樹脂部材の表面に設けられ、上記給電接点によって給電されるアンテナ部とを備えている。
【００１１】
上記の構成によると、立体形状の樹脂部材の表面にアンテナ部を設けているので、フレキシブルプリント基板では実現できない立体的なアンテナ部の配置が可能となり、狭い位置で長いアンテナ部を設けることができると共に、給電接点の設計自由度が上がる。また、立体形状の樹脂部材をベース部に一体に成形し、その樹脂部材にアンテナ部を設けているので、ベース部を溝部に嵌め込めば、アンテナ部を給電接点のある位置に簡単に配置でき、この給電接点に直接当接させることができるので、アンテナ部に接続端子を設ける必要がなく、給電接点とアンテナ部との接続が極めて容易である。また、アンテナ部をキャビネットとは別体に設けているので、キャビネット単体の単価が安くなり、色々なバリエーションのカラーのキャビネットを用意することができると共に、アンテナが故障したときの取替が容易である。
【００１２】
第２の発明では、第１の発明において、
上記ベース部は、防水パッキンであり、
上記樹脂部材は、上記防水パッキンよりも剛性が高く、該防水パッキンの少なくとも一部に沿って一体に設けられ、該防水パッキンの形状を保つと共に、上記溝部に嵌め込まれ、
上記樹脂部材の一部が膨出した立体形状の膨出部を形成し、該膨出部の表面に上記アンテナ部が設けられている。
【００１３】
上記の構成によると、防水パッキンよりも剛性の高い樹脂部材を防水パッキンに沿って一体に設けることで、立体的な形状を保つことができるので、防水パッキンを溝部に嵌め込むのが極めて容易となる。このため、防水パッキンを噛み込むことはないので、生産性や品質が向上する。
【００１４】
第３の発明では、第２の発明において、
上記給電接点は、複数設けられ、
上記膨出部は、上記複数の給電接点に対応してそれぞれ設けられ、各膨出部の表面に上記アンテナ部が設けられている。
【００１５】
上記の構成によると、複数の給電接点が設けられている場合でも、１つのベース部の別々の位置に膨出部を形成してアンテナ部を配置すればよく、このベース部を溝部に嵌合させたときに複数のアンテナ部を一度に設置できるので、アンテナ部の取付が極めて容易になる。
【００１６】
第４の発明では、第２又は第３の発明において、
上記樹脂部材は、ポリカーボネイトであり、
上記膨出部における上記アンテナ部を設ける部分は、ＡＢＳ樹脂が二色成形され、
上記ＡＢＳ樹脂の表面に導電性金属がメッキされている。
【００１７】
上記の構成によると、樹脂部材をポリカーボネイトで構成することで、適度な剛性及び柔軟性を与えてベース部の形状保持を容易にすることができる。また、アンテナ部を設ける部分をＡＢＳ樹脂（アクリロニトリル・ブタジエン・スチレンの３成分からなる熱可塑性樹脂）とすることで、アンテナ部の密着性をよくすることができる。
【００１８】
第５の発明では、第２又は第３の発明において、
上記樹脂部材は、ポリカーボネイトであり、
上記膨出部の表面の一部が導電性樹脂で構成され、該導電性樹脂部分が上記アンテナ部を構成している。
【００１９】
上記の構成によると、膨出部をポリカーボネイトと導電性樹脂との二色成形で構成すれば、導電性樹脂部分自体をアンテナ部とすることができるので、別途アンテナ部を設ける必要がない。
【００２０】
第６の発明では、第２又は第３の発明において、
上記樹脂部材は、ポリカーボネイトであり、
上記膨出部には、板金よりなる上記アンテナ部の一部が埋め込まれている。
【００２１】
上記の構成によると、樹脂部材をポリカーボネイトで構成することで、適度な剛性及び柔軟性を与えてベース部の形状保持を容易にすることができる。また、板金よりなるアンテナ部をポリカーボネイト樹脂にインサート成形などにより埋め込むことで、アンテナ部が定位置に固定され、組付性が向上する。
【００２２】
第７の発明では、第２又は第３の発明において、
上記膨出部の上記ベース部と反対側の表面に上記アンテナ部が設けられている。
【００２３】
上記の構成によると、膨出部のベース部と反対側にアンテナ部を設けることにより、膨出部と給電接点とを厚さ方向に重ねる必要がなく、膨出部、給電接点及びその周辺の厚さを薄くすることができ、携帯端末本体全体の厚さが減って携帯性が向上する。
【００２４】
第８の発明では、第２又は第３の発明において、
上記膨出部には、上記基板を挟み込む凹部が形成され、
上記凹部の対向する表面に上記アンテナ部がそれぞれ設けられている。
【００２５】
上記の構成によると、１つの膨出部の対向する面に２つのアンテナ部を設け、それぞれを別の給電接点に容易に接続することができるので、コンパクトなアンテナ構造が得られる。
【００２６】
第９の発明では、第２乃至第８のいずれか１つの発明において、
上記給電接点は、弾性を有し、上記アンテナ部は、該給電接点が押しつけられて給電されるように構成されている。
【００２７】
上記の構成によると、膨出部が立体的な形状をしているので、弾性を有する給電接点を当接させやすく、フレキシブルプリント基板のようにアンテナ部に接続をするための端子を設ける必要がない。
【００２８】
第１０の発明の携帯端末用アンテナは、携帯端末のキャビネットの周縁に設けた溝部に嵌め込まれる弾性部材よりなる防水パッキンと、
上記防水パッキンよりも剛性が高く、該防水パッキンの少なくとも一部に沿って一体に設けられ、該防水パッキンの形状を保つと共に、上記溝部に嵌め込まれる樹脂部材と、
上記樹脂部材の一部が膨出して形成された立体形状の膨出部と、
上記膨出部の表面に設けられ、上記給電接点によって給電されるアンテナ部とを備えている。
【００２９】
上記の構成によると、立体形状の膨出部の表面にアンテナ部を設けているので、フレキシブルプリント基板では実現できない立体的なアンテナ部の配置が可能となり、狭い位置で長いアンテナ部を設けることができると共に、給電接点の設計自由度が上がる。樹脂部材を防水パッキンに沿って一体に設けることで、立体的な形状を保つことができるので、防水パッキンを溝部に嵌め込むのが極めて容易となる。このため、防水パッキンが噛み込まないので、防水パッキンの寿命が延びる。また、防水パッキンを溝部に嵌め込めば、アンテナ部を給電接点のある位置に簡単に配置でき、この給電接点に直接当接させることができるので、アンテナ部に接続端子を設ける必要がなく、給電接点とアンテナ部との接続が極めて容易である。また、アンテナ部をキャビネットとは別体に設けているので、キャビネット単体の単価が安くなり、色々なバリエーションのカラーのキャビネットを用意することができると共に、アンテナが故障したときにキャビネットごと交換しなくてよいので、その取替が容易である。
【発明の効果】
【００３０】
以上説明したように、本発明によれば、キャビネットの周縁に設けた溝部に嵌め込まれる弾性部材よりなるベース部に一体に立体形状の樹脂部材を連続させ、この樹脂部材の表面に給電接点によって給電されるアンテナ部を設けたことにより、アンテナを狭いスペースに容易に配置することができる。
【図面の簡単な説明】
【００３１】
【図１】本実施形態にかかる第２の筐体を表面側から見た分解斜視図である。
【図２】携帯電話機の開いた状態を示す斜視図である。
【図３】第２の筐体を裏面側から見た分解斜視図である。
【図４】防水パッキンが嵌め込まれた裏側キャビネットを示す斜視図である。
【図５】防水パッキンが嵌め込まれた裏側キャビネットを示す正面図である。
【図６】アンテナ部を含む防水パッキンを示す斜視図である。
【図７】裏側キャビネット単体を示す斜視図である。
【図８】図５のVIII−VIII線断面図である。
【図９】図５のIX−IX線断面図である。
【図１０】基板が嵌め込まれた表側キャビネットを示す斜視図である。
【図１１】変形例１にかかる図９相当図である。
【図１２】変形例２にかかる図９相当図である。
【図１３】変形例３にかかる図９相当図である。
【図１４】変形例４にかかる図９相当図である。
【発明を実施するための形態】
【００３２】
以下、本発明の実施形態を図面に基づいて説明する。
【００３３】
図２は本発明の実施形態の携帯端末としての携帯電話機１を示す。この携帯電話機１は、表示部２が設けられた第１の筐体３と、表面に操作部４を有する携帯端末本体としてのこの第２の筐体５とを備え、これら第１の筐体３と第２の筐体５とがヒンジ部６を介して折畳み開閉可能に連結されている。
【００３４】
図１に示すように、第２の筐体５は、操作部４の操作キー７が設けられる表側キャビネット８と、この表側キャビネット８の裏側に嵌め込まれる裏側キャビネット９とを備えている。
【００３５】
図１０に示すように、表側キャビネット８には、給電接点１０を有する基板１１が嵌め込まれている。給電接点１０は、例えば裏側キャビネット９の左右側壁側に１箇所、上側に２箇所の合計３箇所に設けられている。なお、図３では、説明簡略化のために基板１１は省略している。
【００３６】
図７に示すように、裏側キャビネット９の上下左右周縁には、全周にわたり、溝部１２が形成されている。具体的には、この溝部１２は、裏側キャビネット９に収容する部品の配置に合わせて厚さ方向に高低差があるように連続して設けられている。
【００３７】
図４及び図５に示すように、この溝部１２には、防水パッキン２０が嵌合されている。具体的には、図１、図３、図６及び図９に示すように、防水パッキン２０は、シリコンなどの弾性部材よりなる環状のベース部２１を有し、このベース部２１の内周の一部（例えば上下左右の内側）に適度な弾性を有するポリカーボネイト樹脂よりなる樹脂部材２２（図面では、見やすくするために斜線を加えている）が一体成形されている。この樹脂部材２２は、溝部１２の高低差に合わせた立体形状を有する。樹脂部材２２をポリカーボネイトで構成することで、適度な剛性及び柔軟性を与えてベース部２１の形状保持を容易にすることができる。ベース部２１の全周にわたり樹脂部材２２を設けてもよいが、例えば、図６に示すように、左右１箇所ずつ樹脂部材２２を設けない部分（調整部２４）がある方が、この調整部２４が溝部１２の全長と、防水パッキン２０の全長との誤差を吸収できて望ましい。ベース部２１だけでは、撓みすぎて一定の形状を保つことはできないが、このシリコンなどのベース部２１よりも剛性が高い樹脂部材２２により、防水パッキン２０の形状がある程度保たれている。
【００３８】
そして、このベース部２１に沿う樹脂部材２２の一部には、ベース部２１が収まるほぼ一定幅の溝部１２よりも幅の大きい２つの膨出部２３が設けられている。なお、膨出部２３の部分の溝部１２が膨らんで、この膨らんだ溝部１２内に膨出部２３が収まっていてもよい。これら膨出部２３は、給電接点１０に合わせて間隔をあけて設けられ、各膨出部２３の表面に給電接点１０によって給電されるアンテナ部２５（見やすくするためにクロスハッチングで示す）が設けられている。アンテナ部２５の形状は、受信する信号によって異なるが、膨出部２３の形状が立体形状であるので、例えばその表面に蛇行させて導電性インクを印刷してアンテナ部２５を設ければ、アンテナ部２５の長さを確保しやすい。そして、図６に示すように、１つの膨出部２３に間隔をあけて２つ以上のアンテナ部２５を導電印刷して配置することもできる。アンテナ部２５は、例えば、通話用アンテナ、ブルートゥース（ＢＴ）、無線ＬＡＮ、ＧＰＳ、ＦＭトランスミッタ、ＮＦＣ（Near Field Communication）よりなる。導電性インクを印刷するのではなく、導電性塗料を塗布するようにしてもよい。なお、膨出部２３の導電印刷する部分をＡＢＳ樹脂で二色成形し、その部分に導電性のある金属のメッキを施してもよい。これにより、メッキの密着性がよくなって剥がれにくなる。
【００３９】
なお、膨出部２３に板金等よりなるアンテナ部２５の一部を埋め込むようにインサート成形してもよい。
【００４０】
一方、図９に示すように、基板１１表面に設けた給電接点１０は、例えば図示しない弾性部材でアンテナ部２５へ付勢される給電ピンよりなり、アンテナ部２５は、この給電接点１０が押しつけられて給電されるように構成されている。つまり、膨出部２３が立体的な形状をしているので、弾性を有する給電接点１０を当接させることができるようになっている。このため、アンテナ部２５に接続をするためのコネクタなどの端子を設ける必要がない。
【００４１】
このように構成することにより、立体形状の膨出部２３の表面にアンテナ部２５を設けているので、フレキシブルプリント基板では実現できない立体的なアンテナ部２５の配置が可能となり、狭い位置で長いアンテナ部２５を設けることができると共に、給電接点１０の設計自由度が上げることができる。
【００４２】
また、樹脂部材２２を防水パッキン２０に沿って一体に設けることで、立体的な形状を保つことができるので、防水パッキン２０を溝部１２に嵌め込むのが極めて容易となり、防水パッキン２０が噛み込まないので、防水パッキン２０の寿命が延びる。
【００４３】
また、防水パッキン２０を溝部１２に嵌め込めば、アンテナ部２５を給電接点１０のある位置に簡単に配置でき、この給電接点１０に直接当接させることができるので、アンテナ部２５に接続端子を設ける必要がなく、給電接点１０とアンテナ部２５との接続が極めて容易である。
【００４４】
また、アンテナ部２５を裏側キャビネット９とは別体に設けているので、裏側キャビネット９単体の単価が安くなり、色々なバリエーションのカラーの裏側キャビネット９を用意することができると共に、アンテナが故障したときの取替が容易である。
【００４５】
−実施形態の変形例１−
図１１は本発明の実施形態の変形例１を示し、給電接点１０の構成が異なる点で上記実施形態１と異なる。なお、以下の各変形例では、図１〜図１０と同じ部分については同じ符号を付してその詳細な説明は省略する。
【００４６】
すなわち、給電接点１０を板バネ１１０で構成してもよい。この板バネ１１０を基板１１の表面に弾性を有するように設けて膨出部２３の裏面側のアンテナ部２５を押さえ付けるようにしてもよい。この場合も、接触により給電可能となっているので、フレキシブルプリント基板のように端子を接続する必要はない。
【００４７】
−実施形態の変形例２−
図１２に示すように、基板１１の裏面側から板バネ１１０を延ばし、板バネ１１０によって膨出部１２３の裏面側のアンテナ部２５を押さえ付けるようにしてもよい。この場合には、基板１１とアンテナ部２５との位置が基板１１の厚さ方向で同等の位置にあるので、第２の筐体５の厚さを薄くすることができる。
【００４８】
−実施形態の変形例３−
図１３に示すように、膨出部２２３のベース部２１と反対側の表面（左右内側表面）１２３ａにアンテナ部２５を設けてもよい。この場合には、図９のようにアンテナ部２５と給電接点１０とを厚さ方向に上下に並べる必要がないので、膨出部２２３、給電接点２１０及びその周辺の厚さを薄くすることができ、第２の筐体５全体の厚さが減って携帯性を向上させることができる。
【００４９】
−実施形態の変形例４−
図１４に示すように、膨出部３２３に基板１１を挟み込む凹部３２３ａを形成し、この凹部３２３ａの対向する表面にアンテナ部２５をそれぞれ設けてもよい。この構成によると、膨出部３２３と基板１１とを厚さ方向で同じ高さに配置でき、２つのアンテナ部２５が１つの膨出部３２３に設けられるので、ベース部２１を溝部１２に嵌め込んだときに、膨出部３２３の２つのアンテナ部２５をそれぞれの給電接点３１０に容易に接続することができるので、省スペース及び組立工数低減が期待できる。
【００５０】
（その他の実施形態）
本発明は、上記実施形態について、以下のような構成としてもよい。
【００５１】
すなわち、上記実施形態では、膨出部２３をポリカーボネイト樹脂で構成したが、膨出部２３の表面を導電性樹脂と二色成形してアンテナ部２５を設けてもよい。この構成によると、膨出部２３の表面を導電性樹脂で構成すれば、その導電性樹脂部分自体をアンテナ部２５とすることができるので、別途アンテナ部２５を設ける必要がない。
【００５２】
上記実施形態では、膨出部２３を２つ設け、給電接点１０を３つ設けたが、この数に限定されず、これよりも多くても少なくてもよい。
【００５３】
なお、以上の実施形態は、本質的に好ましい例示であって、本発明、その適用物や用途の範囲を制限することを意図するものではない。
【符号の説明】
【００５４】
５      第２の筐体（携帯端末本体）
６      ヒンジ部
７      操作キー
８      表側キャビネット
９      裏側キャビネット
１０      給電接点
１１      基板
１２      溝部
２０      防水パッキン
２１      ベース部
２２      樹脂部材
２３      膨出部
２５      アンテナ部
１１０      板バネ
１２３      膨出部
１２３ａ    反対側の表面
２１０      給電接点
２２３      膨出部
３１０      給電接点
３２３      膨出部
３２３ａ    凹部
【図１】
2013123195.tif 000003
【図２】
2013123195.tif 000004
【図３】
2013123195.tif 000005
【図４】
2013123195.tif 000006
【図５】
2013123195.tif 000007
【図６】
2013123195.tif 000008
【図７】
2013123195.tif 000009
【図８】
2013123195.tif 000010
【図９】
2013123195.tif 000011
【図１０】
2013123195.tif 000012
【図１１】
2013123195.tif 000013
【図１２】
2013123195.tif 000014
【図１３】
2013123195.tif 000015
【図１４】
2013123195.tif 000016